(57)【要約】【課題】変換履歴に含まれる文字列を文字変換候補として提示する場合に、部分的にそのまま再利用できない語句が含まれる場合もある。【解決手段】文字変換装置１０において、文字入力部１６はユーザにより入力された１文字〜数文字の入力文字列を取得し、指示受付部１４が省入力の指示をユーザから取得すると、変換部２４は先頭文字がその入力文字列と一致する変換文字列を辞書格納部１８から抽出して変換候補として提示する。ユーザの指示によりいずれかの変換候補が選択されると、その変換文字列を変換結果として画面に表示するとともに、固有名詞の箇所を別形態で表示し、その箇所にカーソルを移動させる。【選択図】  図１
2004326622.tif 000002
【特許請求の範囲】
【請求項１】
ユーザから文字変換の対象となる文字の入力を受け付ける文字入力部と、
ユーザから文字変換の指示を受け付ける指示受付部と、
前記入力された文字で形成される入力文字列をその文字列と異なる変換文字列に変換する変換部と、
前記入力文字列および変換文字列のうち少なくともいずれかを画面に表示する表示処理部と、
前記入力文字列と変換文字列とを対応させて変換履歴として蓄積する履歴蓄積部と、を有し、
前記入力された文字が変換される前の段階で前記指示受付部が省入力変換の指示をユーザから受け付けたとき、前記変換部は、前記蓄積された変換文字列のうち、先頭の文字が前記入力された文字と一致する変換文字列を抽出し、
前記表示処理部は、前記抽出された変換文字列を前記入力された文字に対応する変換文字列として画面に表示するとともに、その変換文字列に含まれる固有名詞の部分を他の部分と異なる形式で表示することを特徴とする文字変換装置。
【請求項２】
前記入力された文字を前記変換部が前記変換文字列に変換するときに、その変換文字列から固有名詞を検出する語句検出部をさらに有することを特徴とする請求項１に記載の文字変換装置。
【請求項３】
前記表示処理部は、前記抽出された変換文字列を表示するときに、その変換文字列に含まれる固有名詞にカーソルを移動させることを特徴とする請求項１または２に記載の文字変換装置。
【請求項４】
前記表示処理部は、前記変換文字列のうち固有名詞の部分を空欄で表示することを特徴とする請求項１から３のいずれかに記載の文字変換装置。
【請求項５】
前記表示処理部は、前記変換文字列のうち固有名詞の部分を変換未確定の状態で表示し、固有名詞以外の部分を変換確定の状態で表示することを特徴とする請求項１から３のいずれかに記載の文字変換装置。
【請求項６】
前記表示処理部は、前記変換文字列のうち固有名詞の部分を消去対象として指定した状態で表示することを特徴とする請求項１から３のいずれかに記載の文字変換装置。
【請求項７】
前記表示処理部は、前記変換文字列のうち固有名詞の部分を選択状態で表示するとともに、他の固有名詞を置換候補として提示することを特徴とする請求項１から３のいずれかに記載の文字変換装置。
【請求項８】
前記変換部は、前記変換文字列に含まれる固有名詞と種類が共通する他の固有名詞を前記置換候補として前記変換履歴から抽出することを特徴とする請求項７に記載の文字変換装置。
【請求項９】
前記履歴蓄積部は、前記変換履歴としての変換文字列以外に、あらかじめ登録された定型文を前記変換文字列としてさらに蓄積することを特徴とする請求項１から８のいずれかに記載の文字変換装置。
【請求項１０】
前記語句検出部は、固有名詞以外に、所定の再利用に適さない語句を前記変換文字列から検出し、
前記表示処理部は、前記所定の再利用に適さない語句を固有名詞と同様の形式で表示することを特徴とする請求項２から９のいずれかに記載の文字変換装置。
【請求項１１】
文字変換の対象としてユーザが入力する文字を取得するステップと、
前記入力された文字を画面に表示するステップと、
ユーザから省入力変換の指示を取得するステップと、
あらかじめ蓄積された変換文字列のうち、先頭の文字が前記入力された文字と一致する一つ以上の変換文字列を抽出するステップと、
前記抽出された変換文字列から固有名詞を検出するステップと、
前記抽出された変換文字列を固有名詞の部分と固有名詞以外の部分とで異なる形式で画面に表示するステップと、
を有することを特徴とする文字変換方法。
【請求項１２】
ユーザから文字変換の対象となる文字の入力を受け付ける機能と、
ユーザから文字変換の指示を受け付ける機能と、
前記入力された文字で形成される入力文字列をその文字列と異なる変換文字列に変換する機能と、
前記入力文字列および変換文字列のうち少なくともいずれかを画面に表示する機能と、
前記入力文字列と変換文字列とを対応させて変換履歴として蓄積する機能と、をコンピュータに発揮させ、
前記入力された文字が変換される前の段階で前記指示受付部が省入力変換の指示をユーザから受け付けたとき、前記変換する機能は、前記蓄積された変換文字列のうち、先頭の文字が前記入力された文字と一致する変換文字列を抽出し、
前記表示する機能は、前記抽出された変換文字列を前記入力された文字に対応する変換文字列として画面に表示するとともに、その変換文字列に含まれる固有名詞の部分を他の部分と異なる形式で表示することを特徴とするコンピュータプログラム。
【発明の詳細な説明】
【０００１】
【発明の属する技術分野】
この発明は、文字変換装置および文字変換方法に関する。この発明は特に、文字変換の高効率化を図る技術に関する。
【０００２】
【従来の技術】
コンピュータ上で日本語を入力する場合、文字種の少ない欧米の言語と異なり、仮名文字を漢字に変換する日本語入力プログラムの利用が必須である。この日本語入力プログラムは、元来、コンピュータに接続されたキーボードから文字入力されることを前提としていた。しかし、近年は携帯電話や携帯端末のようにキー数の少ない端末での文字入力が頻繁に行われるようになり、日本語入力プログラムにおける入力操作を簡略化させる技術が大きく注目されるようになった。こうした技術の一つとして、本来入力すべき文字列の先頭数文字を入力するだけでその変換文字列を変換候補として提示する省入力機能が知られている（例えば、特許文献１参照。）。
【０００３】
【特許文献１】
特開２００２−６３１５８号公報  （全文、第１〜５図）
【０００４】
【発明が解決しようとする課題】
上記技術によれば、過去の入力履歴や変換確定履歴を参照することにより変換候補を抽出しているが、それら履歴の文字列によっては部分的にそのまま再利用できない語句が含まれる場合もある。特に履歴の文字列が比較的長い文章の場合、再利用の可能性を自ら見極める作業や、再利用できない部分を再編集する作業はユーザにとって煩雑であり、これでは省入力機能によって操作を簡略化させる思想と逆行してしまう可能性がある。
【０００５】
本発明者は以上の認識に基づき本発明をなしたもので、その目的は、文字入力または文字変換の効率を高める点にある。
【０００６】
【課題を解決するための手段】
本発明のある態様は、文字変換装置である。この装置は、ユーザから文字変換の対象となる文字の入力を受け付ける文字入力部と、ユーザから文字変換の指示を受け付ける指示受付部と、入力された文字で形成される入力文字列をその文字列と異なる変換文字列に変換する変換部と、入力文字列および変換文字列のうち少なくともいずれかを画面に表示する表示処理部と、入力文字列と変換文字列とを対応させて変換履歴として蓄積する履歴蓄積部と、を有する。入力された文字が変換される前の段階で指示受付部が省入力変換の指示をユーザから受け付けたとき、変換部は、蓄積された変換文字列のうち、先頭の文字が入力された文字と一致する変換文字列を抽出する。表示処理部は、抽出された変換文字列を入力された文字に対応する変換文字列として画面に表示するとともに、その変換文字列に含まれる固有名詞の部分を他の部分と異なる形式で表示する。
【０００７】
「文字」は、主にいわゆるローマ字入力やかな入力などの入力方法を問わず、ユーザが入力しようとする文章の「読み」に相当する平仮名文字を想定する。「文字変換」は、主にひらがなを漢字に変換する日本語変換を対象とするが、これに限定されず、ひらがな、カタカナ、漢字、アルファベットなどの文字種間で変換する場合も含む。「省入力変換」は、変換文字列の先頭数文字の読みが入力された段階で所定のキー操作がなされたときに、その数文字と先頭文字が一致する変換履歴中の文字列を変換候補として提示する機能であってもよい。「固有名詞」には、氏名、地名、地域名、商品名、組織名、電子メールアドレスなど一般的な意味での固有名詞が含まれる他、日時や金額など再利用に適さない語句やその文字列を再利用する場合に編集される可能性の高い語句を含んでもよい。
【０００８】
本態様によれば、変換履歴と先頭が一致する入力文字列を数文字入力するだけで比較的長い文章にも変換でき、入力効率または変換効率を高めることができる。また、比較的長い文章中にそのまま再利用することができない文字列や不要な文字列が含まれる場合にこれらを自動で抽出してユーザに明示する。これにより、過去に変換した文章についての再利用性および再利用するときの操作効率を高めることができる。
【０００９】
本発明の別の態様は、文字変換方法である。この方法は、文字変換の対象としてユーザが入力する文字を取得するステップと、入力された文字を画面に表示するステップと、ユーザから省入力変換の指示を取得するステップと、あらかじめ蓄積された変換文字列のうち、先頭の文字が入力された文字と一致する一つ以上の変換文字列を抽出するステップと、抽出された変換文字列から固有名詞を検出するステップと、抽出された変換文字列を固有名詞の部分と固有名詞以外の部分とで異なる形式で画面に表示するステップと、を有する。
【００１０】
本態様によっても、過去に変換した文章についての再利用性および再利用するときの操作効率を高めることができる。
【００１１】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【００１２】
【発明の実施の形態】
実施の形態１
本発明の実施の形態１における文字変換装置は、パーソナルコンピュータ（以下、ＰＣという。）と、そのＰＣにインストールされた日本語変換プログラムとの組み合わせとして実現される。この装置が提供する機能は、日本語変換プログラムに搭載された省入力機能をさらに発展させたものであり、過去に入力し変換した文章を省入力変換候補として提示するときに、その文章に含まれる固有名詞の部分を編集しやすくしている。これにより、再利用する上で注意を要する箇所に関してその再利用性を高め、操作を容易にすることができる。
【００１３】
図１は、本発明の実施の形態１における文字変換装置の機能ブロック図である。文字変換装置１０は、ハードウェア的には、コンピュータのＣＰＵをはじめとする素子で実現でき、ソフトウェア的にはデータ入力機能、データ変換機能、データ表示機能などの各機能を提供するプログラムによって実現されるが、以下説明する図１ではそれらの連携によって実現される機能ブロックを描いている。したがって、これらの機能ブロックはハードウェア、ソフトウェアの組合せによっていろいろなかたちで実現できる。
【００１４】
文字変換装置１０は、入力部１２、指示受付部１４、文字入力部１６、辞書格納部１８、履歴蓄積部２０、語句検出部２２、変換部２４、表示処理部２６、表示出力部２８を有する。入力部１２は、ユーザの操作を受け付ける入力インタフェイスであって、例えばキーボード、マウス、マイクロフォンなどの周辺機器と入力文字や指示内容を認識するプログラムとの組み合わせで構成される。表示出力部２８は、表示処理部２６によって出力された信号を画像として画面に表示するインタフェイスであり、例えばＬＣＤなどのモニタであってもよい。
【００１５】
文字入力部１６は、文字変換の対象となる文字の入力を入力部１２を介してユーザから受け付け、取得した複数の入力文字に基づいて入力文字列を形成する。指示受付部１４は、文字変換指示、省入力変換指示、候補選択指示など、文字変換の操作に必要な指示を入力部１２を介してユーザから受け付ける。文字入力部１６により取得された入力文字列と、指示受付部１４により取得された指示内容は、変換部２４と表示処理部２６へ送られる。
【００１６】
辞書格納部１８は、文字変換で参照される変換辞書を格納する。変換辞書には、変換後の語句とその読みおよび品詞が対応づけられて格納されている。通常の文字変換においては、変換部２４は、入力文字列と読みが一致する一つ以上の語句を変換辞書から抽出し、変換候補の文字列として表示処理部２６へ送る。例えば、「わたし」という平仮名の文字列が入力されたとき、変換部２４は変換辞書から「わたし」の読みに対応する変換候補を抽出する。対応する変換候補は「私」「ワタシ」「わたし」「渡し」「渡司」の文字列であり、これらをユーザに提示する。
【００１７】
表示処理部２６は、入力文字列を変換前の状態で表示出力部２８の画面に表示させるとともに、変換指示を受け取ったときにその入力文字の下方に変換候補を提示する。変換部２４は、変換候補からいずれかを選択する指示を入力部１２および指示受付部１４を介してユーザから受け取り、選択された文字列を変換結果として表示処理部２６へ送る。表示処理部２６は、受け取った変換結果としての文字列を、それまで表示させていた入力文字列に置き換えて表示出力部２８の画面に表示させる。ユーザからその変換結果を確定させる指示を受け取ったとき、表示処理部２６は変換文字列を確定状態で表示させる。変換が確定された変換文字列は、その読みに相当する入力文字列と対応させた変換履歴として履歴蓄積部２０に蓄積される。履歴蓄積部２０は、変換履歴としての変換文字列以外に、あらかじめ登録された定型文を変換文字列としてさらに蓄積する。この定型文もまたその読みである入力文字列とともに蓄積される。
【００１８】
ここで、通常変換がなされる前の段階で指示受付部１４が省入力変換の指示をユーザから受け付けたとき、変換部２４は、履歴蓄積部２０の変換履歴に蓄積された変換文字列のうち、その読みの先頭文字が入力文字列と一致する一つ以上の変換文字列を抽出する。これがいわゆる省入力機能であり、先頭数文字の入力で比較的長文の変換文字列を変換候補としてユーザに提示することができる。語句検出部２２は、省入力機能において変換候補として提示する変換文字列から、固有名詞を検出する。固有名詞は辞書格納部１８の変換辞書に格納されており、語句検出部２２はこれを参照する。なお、語句検出部２２は、固有名詞以外に、日時や金額など再利用に適さない所定の語句を変換文字列から検出してもよい。
【００１９】
表示処理部２６は、変換候補として抽出された変換文字列を入力文字列に対応する変換文字列として画面に表示させるとともに、その変換文字列に含まれる固有名詞の部分を他の部分と異なる形式で表示させる。本実施の形態においては、固有名詞の部分を空欄に置き換えてから表示させるとともに、カーソルを固有名詞の部分に移動させる。これにより、ユーザは再編集すべき箇所を容易に把握できるとともに、そのまま新たな固有名詞の入力作業を開始できるので、効率のよい操作が可能となる。なお、表示処理部２６は、日時や金額など再利用に適さない語句も固有名詞と同様の形式で表示する。
【００２０】
図２は、本発明の実施の形態１における入力文字列と省入力変換候補を表示した画面例を示す。本図の画面５０において、ユーザが入力文字列５２として「へい」を入力する。このとき、カーソル５４の位置は入力文字列５２「へい」の後である。ユーザがタブキーなどの省入力変換キーを押すと、「へい」の読みで始まる一つ以上の変換文字列が変換履歴から抽出され、その一つ以上の変換文字列が省入力変換候補５６として入力文字列５２「へい」の下方に表示される。初期的には省入力変換候補５６の最上位に位置する「弊社製品○○○のお問い合わせをいただいた○○○○様には、」という変換文字列が選択候補５８として表示される。ここで、履歴蓄積部２０の変換履歴には「弊社製品ＡＢＣのお問い合わせをいただいた（株）吉田商会様には、」のように固有名詞も含まれた状態で格納されている。これを表示処理部２６が表示するにあたり、語句検出部２２が固有名詞である「ＡＢＣ」と「（株）吉田商会」を検出し、その箇所を「○○○」といった空欄を示す記号に置き換える。なお、本図では「○○○」のような記号を用いているが、単にスペースを一つ表示させるなど、別の形態で空欄を示してもよい。その後、ユーザが候補を切り替えるキー、例えばタブキーをさらに押すと他の変換文字列が選択候補５８に切り替わって表示される。
【００２１】
図３は、入力文字列が省入力変換によって変換文字列に置き換えられた状態を表示する画面例を示す。図２の画面５０においてユーザが省入力変換候補５６の選択を確定させると、入力文字列５２「へい」が表示されていた位置には図３の画面５０のように選択された変換文字列６０「弊社製品○○○のお問い合わせをいただいた○○○○様には、最新版をお送りして下さい。」が置き換わって表示される。ここで、通常の文字変換の場合、変換後のカーソル６６の位置は、設定に応じて変換文字列６０の前か後に表示されるが、本実施の形態の省入力変換においては固有名詞が入力されるべき箇所を示す空欄６２の前にカーソル６６が移動する。なお、本図では空欄６２として「○○○」の記号を用いているが、空欄６２として単にスペースを一つ表示させた上でその前にカーソル６６を移動させてもよい。この場合、ユーザがさらにデリートキーを１回押すだけで固有名詞の部分を消去できるため、簡単な操作に基づく変換文字列の再利用性が高まる。また、固有名詞の部分を空欄６２で表示するか否かにかかわらず、その部分を消去対象として範囲指定した状態で反転表示してもよい。この場合も、ユーザがデリートキーを１回押すだけで消去できるので、簡単な操作に基づく変換文字列の再利用性が高まる。ユーザが空欄６２またはこれを消去した部分に新たな固有名詞を入力した後で所定のキーを押すと、カーソル６６は次の空欄６４の前に移動する。こうして、ユーザは固有名詞の入力が必要な箇所に効率よく文字列を入力することができる。
【００２２】
図４は、入力文字列と変換文字列が対応づけられて格納された変換履歴のテーブルを示す。変換履歴テーブル７０は、入力文字列欄７２と変換文字列欄７４を含む。入力文字列欄７２には「へいしゃはせいひんえーびーしーのおといあわせを．．．」など、読みとしての入力文字列が格納され、変換文字列欄７４には入力文字列に対応する変換後の文字列として「弊社製品ＡＢＣのお問い合わせを．．．」といった変換文字列が格納される。
【００２３】
図５は、通常の文字変換の過程と変換履歴を蓄積する過程を示すフローチャートである。ユーザによって文字が入力され（Ｓ１０）、その入力文字列に対する通常変換の指示が取得されたとき（Ｓ１２）、変換部２４は変換辞書からその入力文字列に対応する変換候補を抽出し、これを表示処理部２６が画面に提示する（Ｓ１４）。ユーザによって変換候補の一つが選択されると（Ｓ１６）、変換部２４は選択された文字列を変換文字列として確定し、入力文字列と変換文字列のセットを変換履歴に蓄積する（Ｓ１８）。
【００２４】
図６は、本発明の実施の形態１に係る省入力変換の過程を示すフローチャートである。ユーザによって１文字〜数文字が入力され（Ｓ３０）、その入力文字列に対する省入力変換の指示が取得されたとき（Ｓ３２）、変換部２４は入力文字列と変換履歴内の変換文字列とを比較し（Ｓ３４）、読みの先頭文字が入力文字列と一致する変換文字列を抽出する（Ｓ３６）。語句検出部２２は、抽出された変換文字列から固有名詞を検出し、変換部２４は検出された固有名詞を空欄を示す記号に置き換える（Ｓ３８）。表示処理部２６は、抽出された変換文字列を変換候補として画面に提示し（Ｓ４０）、ユーザによって変換候補の一つが選択されると（Ｓ４２）、変換部２４は選択された変換候補を変換文字列として確定し、表示処理部２６はこの変換文字列をそれまで表示させていた入力文字列と置き換えて表示させる（Ｓ４４）。表示された変換文字列に空欄を示す記号が含まれる場合、表示処理部２６はその箇所へカーソル６６を移動させる（Ｓ４６）。
【００２５】
実施の形態２
本発明の実施の形態２の文字変換装置は、変換文字列に含まれる固有名詞を、空欄を示す記号に置き換えずにそのまま表示させる点で本発明の実施の形態１と異なる。また、ユーザによって変換候補の選択が確定され、変換文字列を表示させるとき、固有名詞の部分に関しては未確定の状態で表示させる。さらに、その箇所にカーソル６６を移動させ、その位置に、固有名詞として過去に入力された変換文字列を新たな固有名詞の省入力候補として提示する。これにより、固有名詞の部分を他の固有名詞に置き換えるなど、簡易な操作で新たな固有名詞を入力することができる。
【００２６】
図７は、本発明の実施の形態２における入力文字列と省入力変換候補を表示した画面例を示す。本図の画面５０には、実施の形態１における図２と同様に入力文字列５２とこれに対応する省入力変換候補５６が表示される。このとき、語句検出部２２による固有名詞の検出はなされておらず、省入力変換候補５６に含まれる「ＡＢＣ」「（株）吉田商会」といった固有名詞もそのまま表示される。省入力変換候補５６の一つをユーザが選択すると、その候補が変換文字列として確定され、次図の画面に移行する。
【００２７】
図８は、変換が確定された変換文字列と、変換が未確定である固有名詞の省入力候補を表示した画面例を示す。本図の画面５０には、実施の形態１における図３と同様に、ユーザによって選択された変換文字列６０が表示される。このとき、変換文字列６０の表示に先立って、語句検出部２２による固有名詞の検出がなされる。図のように、検出された固有名詞６８、固有名詞６９は変換未確定の状態で表示され、他の文字列のみが変換確定された形で表示される。カーソル６６は複数の変換未確定の固有名詞６８のうち最初に登場する固有名詞６８の位置に移動される。その固有名詞６８は選択状態で表示されるとともに、その下方には、固有名詞として過去に変換された「ＡＢＣ」「１２３カルク」「レッツドロー」といった他の固有名詞の文字列が省入力変換候補５６として表示される。表示された省入力変換候補５６は元々変換文字列に含まれていた固有名詞の置換候補となり、そのうちユーザによって選択された一つが選択候補５８として色分け表示される。選択が確定されるとその選択候補５８である変換文字列が固有名詞６８の位置にそれまで表示されていた文字列と置き換えられる。その後、カーソル６６は固有名詞６９の位置へ移動し、固有名詞６９と置き換える変換文字列を、固有名詞６８と同じ手順にてユーザの選択に基づいて決定する。
【００２８】
図９は、固有名詞が入力されるべき箇所についての入力文字列と変換文字列が対応づけられて格納された変換履歴のテーブルを示す。固有名詞変換履歴テーブル８０は、入力文字列欄８２と変換文字列欄８４を含む。変換部２４は、変換文字列に含まれる固有名詞と種類が共通する他の固有名詞を置換候補として固有名詞変換履歴テーブル８０から抽出する。入力文字列欄８２には、固有名詞として過去に入力された入力文字列が格納され、変換文字列欄８４にはその入力文字列の変換結果として対応する変換文字列が格納される。例えば入力文字列欄８２には入力文字列「えーびーしー」「かぶよしだしょうかい」が格納され、変換文字列欄８４にはこれらと対応する変換文字列「ＡＢＣ」「（株）吉田商会」が格納される。なお、固有名詞変換履歴テーブル８０に、各変換文字列の固有名詞としての種類を示す情報がさらに格納されてもよい。
【００２９】
図１０は、本発明の実施の形態２に係る省入力変換の過程を示すフローチャートである。本図のＳ６０〜Ｓ６６は、図６のＳ３０〜Ｓ３６と同じ処理である。Ｓ６６で抽出された変換文字列を、表示処理部２６が省入力変換候補として画面に提示し（Ｓ６８）、ユーザによって省入力変換候補の一つが選択されると（Ｓ７０）、語句検出部２２がその選択された省入力候補から固有名詞を検出する（Ｓ７２）。表示処理部２６は、固有名詞の文字列は未確定の状態で、その他の文字列は確定された状態で、それまで表示されていた入力文字列と置き換えて表示させる（Ｓ７４）。表示処理部２６はカーソル６６を固有名詞の箇所に移動させ（Ｓ７６）、過去に固有名詞として入力された変換文字列を固有名詞の箇所の下方に省入力候補として提示する（Ｓ７８）。ユーザによって固有名詞の省入力候補の一つが選択されたとき（Ｓ８０）、表示処理部２６は選択された省入力候補を固有名詞の箇所に置き換え、確定した変換文字列として表示させる（Ｓ８２）。
【００３０】
以上、本発明を実施の形態をもとに説明した。この実施の形態は例示であり、その各構成要素や各処理プロセスの組合せにいろいろな変形が可能なこと、またそうした変形例も本発明の範囲にあることは当業者に理解されるところである。以下、変形例を挙げる。
【００３１】
本発明の各実施の形態においては、省入力変換を指示するキーとしてタブキーを例示した。変形例においては、例えば通常の省入力変換に対してタブキーを割り当てた上で、省入力候補として長文を優先的に提示してから固有名詞を検出する機能を拡張機能と位置づけて別のキーを割り当てる構成としてもよい。
【００３２】
本発明の実施の形態２においては、固有名詞の部分を変換未確定の状態で表示させる構成とした。変形例においては、固有名詞も含めてすべて確定状態で変換文字列を表示し、所定のキーがユーザによって押されたときにはじめて固有名詞を検出し、これを未確定の状態に戻す構成としてもよい。
【００３３】
【発明の効果】
本発明によれば、文字入力または文字変換の効率を高めることができる。
【図面の簡単な説明】
【図１】本発明の実施の形態１における文字変換装置の機能ブロック図である。
【図２】本発明の実施の形態１における入力文字列と省入力変換候補を表示した画面例を示す図である。
【図３】入力文字列が省入力変換によって変換文字列に置き換えられた状態を表示する画面例を示す図である。
【図４】入力文字列と変換文字列が対応づけられて格納された変換履歴のテーブルを示す図である。
【図５】通常の文字変換の過程と変換履歴を蓄積する過程を示すフローチャートである。
【図６】本発明の実施の形態１に係る省入力変換の過程を示すフローチャートである。
【図７】本発明の実施の形態２における入力文字列と省入力変換候補を表示した画面例を示す図である。
【図８】変換が確定された変換文字列と、変換が未確定である固有名詞の省入力候補を表示した画面例を示す図である。
【図９】固有名詞が入力されるべき箇所についての入力文字列と変換文字列が対応づけられて格納された変換履歴のテーブルを示す図である。
【図１０】本発明の実施の形態２に係る省入力変換の過程を示すフローチャートである。
【符号の説明】
１０  文字変換装置、  １４  指示受付部、  １６  文字入力部、  １８  辞書格納部、  ２０  履歴蓄積部、  ２２  語句検出部、  ２４  変換部、  ２６表示処理部、  ５２  入力文字列、  ６０  変換文字列、  ６６  カーソル。
【図１】
2004326622.tif 000003
【図２】
2004326622.tif 000004
【図３】
2004326622.tif 000005
【図４】
2004326622.tif 000006
【図５】
2004326622.tif 000007
【図６】
2004326622.tif 000008
【図７】
2004326622.tif 000009
【図８】
2004326622.tif 000010
【図９】
2004326622.tif 000011
【図１０】
2004326622.tif 000012